(57)【特許請求の範囲】
【請求項１】
ホルダ部材と、
前記ホルダ部材に、少なくとも一端部分が前記ホルダ部材から突出した状態で保持されているネック部材と、
前記ネック部材の前記一端部分に装着されていて、毛束が起設されているヘッド部材とを備え、
前記ヘッド部材は、複数個に分割されていて、
複数個の前記ヘッドの部材のうち１個の前記ヘッド部材は、前記ネック部材の前記一端部分の先端に固定されている固定ヘッド部材であり、
残りの複数個の前記ヘッド部材は、前記ネック部材に、前記ネック部材の長手方向にスライド可能に装着されているスライドヘッド部材であり、
前記ネック部材には、複数個の前記スライドヘッド部材の適正使用位置を表示する表示部が付されている歯ブラシを用いたブラッシング方法であり、
スライドヘッド部材に過度な力がかかった場合に、ネック部材がわずかに細くなっていることにより過度なブラッシング圧に反応してスライドヘッド部材の移動がおこり、使用者が自己のブラッシング圧の適否を判定することができるため、個人によるブラッシングの癖が補正され磨き残しがなくなることを特徴とするブラッシング方法。
【請求項２】
ホルダ部材と、
前記ホルダ部材に、少なくとも一端部分が前記ホルダ部材から突出した状態で保持されているネック部材と、
前記ネック部材の前記一端部分に装着されていて、毛束が起設されているヘッド部材とを備え、
前記ヘッド部材は、複数個に分割されていて、
複数個の前記ヘッドの部材のうち１個の前記ヘッド部材は、前記ネック部材の前記一端部分の先端に固定されている固定ヘッド部材であり、
残りの複数個の前記ヘッド部材は、前記ネック部材に、前記ネック部材の長手方向にスライド可能に装着されているスライドヘッド部材であり、
前記ネック部材には、複数個の前記スライドヘッド部材の適正使用位置を表示する表示部が付されていて、
前記表示部は、前記ネック部材の表面から凹んだ凹部から構成されている歯ブラシを用いたブラッシング方法であり、
スライドヘッド部材に過度な力がかかった場合に、ネック部材がわずかに細くなっていることにより過度なブラッシング圧に反応してスライドヘッド部材の移動がおこり、使用者が自己のブラッシング圧の適否を判定することができるため、個人によるブラッシングの癖が補正され磨き残しがなくなることを特徴とするブラッシング方法。
【請求項３】
ホルダ部材と、
前記ホルダ部材に、少なくとも一端部分が前記ホルダ部材から突出した状態で保持されているネック部材と、
前記ネック部材の前記一端部分に装着されていて、毛束が起設されているヘッド部材とを備え、
前記ヘッド部材は、複数個に分割されていて、
複数個の前記ヘッドの部材のうち１個の前記ヘッド部材は、前記ネック部材の前記一端部分の先端に固定されている固定ヘッド部材であり、
残りの複数個の前記ヘッド部材は、前記ネック部材に、前記ネック部材の長手方向にスライド可能に装着されているスライドヘッド部材であり、
前記ネック部材には、複数個の前記スライドヘッド部材の適正使用位置を表示する表示部が付されていて、
複数個の前記スライドヘッド部材のうち、前記ホルダ部材側に位置する前記スライドヘッド部材の前記毛束の長さは、他の前記スライドヘッド部材の前記毛束の長さよりも長い歯ブラシを用いたブラッシング方法であり、
スライドヘッド部材に過度な力がかかった場合に、ネック部材がわずかに細くなっていることにより過度なブラッシング圧に反応してスライドヘッド部材の移動がおこり、使用者が自己のブラッシング圧の適否を判定することができるため、個人によるブラッシングの癖が補正され磨き残しがなくなることを特徴とするブラッシング方法。
【請求項４】
ホルダ部材と、
前記ホルダ部材に、少なくとも一端部分が前記ホルダ部材から突出した状態で保持されているネック部材と、
前記ネック部材の前記一端部分に装着されていて、毛束が起設されているヘッド部材とを備え、
前記ヘッド部材は、複数個に分割されていて、
複数個の前記ヘッドの部材のうち１個の前記ヘッド部材は、前記ネック部材の前記一端部分の先端に固定されている固定ヘッド部材であり、
残りの複数個の前記ヘッド部材は、前記ネック部材に、前記ネック部材の長手方向にスライド可能に装着されているスライドヘッド部材であり、
前記ネック部材には、複数個の前記スライドヘッド部材の適正使用位置を表示する表示部が付されていて、
前記ホルダ部材の後端に、他のホルダ部材あるいはバランス部材を設けた歯ブラシを用いたブラッシング方法であり、
スライドヘッド部材に過度な力がかかった場合に、ネック部材がわずかに細くなっていることにより過度なブラッシング圧に反応してスライドヘッド部材の移動がおこり、使用者が自己のブラッシング圧の適否を判定することができるため、個人によるブラッシングの癖が補正され磨き残しがなくなることを特徴とするブラッシング方法。
【発明の詳細な説明】
【技術分野】
【０００１】  この発明は、歯ブラシを用いたブラッシング方法に関する。特に、ヘッド部材が複数個に分割されているブラッシング方法に関する。
【背景技術】
【０００２】  ヘッド部材が複数個に分割されている歯ブラシとして、たとえば、特許文献１に示すものがある。特許文献１の歯ブラシは、ヘッド部と、ネック部と、ホルダ部とからなるものである。【０００３】  ヘッド部は、複数の分割ヘッドによって構成されている。分割ヘッドのうち第１ヘッドは、ネック部の先端に固定されている。他のヘッドは、ネック部にスライド可能に取り付けられている。特許文献１の歯ブラシは、使用者が自分の歯に合わせて他のヘッドをスライド調整することができる。
【先行技術文献】
【特許文献】
【０００４】
【特許文献１】特許第３８７３００４号
【発明の概要】
【発明が解決しようとする課題】
【０００５】  しかしながら、特許文献１の歯ブラシは、スライド調整した他のヘッドが適正使用位置に位置しているか否かを使用者が確認することができない。
歯磨き（以下ブラッシングという）において大事なことは、各個人の口腔状態を熟知したブラッシングの専門知識を持つ人が処方をした歯ブラシを使用するか、あるいは使用者自身の口腔内の理解を深めて意識してカスタマイズした歯ブラシを使用することにより、各歯に対し適正なブラッシングが可能となるのである。
そして、可及的に部分的区分、エリアごとにブラッシングをすることでブラッシングの圧をコントロールできるのであり、そのためには、一本、一本の歯のブラシング意識からさらに１歯５面を有することから一面、一面のブラッシング意識へと変化、認識をさせることが必要である。
さらには、口腔内疾患から身を守り、口腔機能の維持、健康増進するためには、口腔疾患原因菌を含む口腔プラークの排除が必要である。そのひとつの方法にブラッシングがある。
そこで硬組織付着プラークはもちろん舌や歯肉をはじめとする軟組織に付着しているプラークの除去に加えて血行促進、マッサージ効果による唾液分泌効果、歯肉引き締めによる食物残渣のポケット進入阻止効果、無意識から意識化効果、モチベーション維持なども重要なブラッシング目的となる。【０００６】  この発明が解決しようとする課題は、スライド調整した複数個のスライドヘッド部材が適正使用位置に位置しているか否かを使用者が確認することができ、さらに１本の歯ブラシの先端形状と全体形状の自由度を持たせて、使用者個人の口腔内環境に適切化したブラッシングを可能とする歯ブラシを用いたブラッシング方法を提供することにある。
【課題を解決するための手段】
【０００７】  請求項１に記載の発明は、ホルダ部材と、前記ホルダ部材に、少なくとも一端部分が前記ホルダ部材から突出した状態で保持されているネック部材と、前記ネック部材の前記一端部分に装着されていて、毛束が起設されているヘッド部材とを備え、前記ヘッド部材は、複数個に分割されていて、複数個の前記ヘッドの部材のうち１個の前記ヘッド部材は、前記ネック部材の前記一端部分の先端に固定されている固定ヘッド部材であり、残りの複数個の前記ヘッド部材は、前記ネック部材に、前記ネック部材の長手方向にスライド可能に装着されているスライドヘッド部材であり、前記ネック部材には、複数個の前記スライドヘッド部材の適正使用位置を表示する表示部が付されている歯ブラシを用いたブラッシング方法であり、スライドヘッド部材に過度な力がかかった場合に、ネック部材がわずかに細くなっていることにより過度なブラッシング圧に反応してスライドヘッド部材の移動がおこり、使用者が自己のブラッシング圧の適否を判定することができるため、個人によるブラッシングの癖が補正され磨き残しがなくなることを特徴とするブラッシング方法である。【０００８】  請求項２に記載の発明は、ホルダ部材と、前記ホルダ部材に、少なくとも一端部分が前記ホルダ部材から突出した状態で保持されているネック部材と、前記ネック部材の前記一端部分に装着されていて、毛束が起設されているヘッド部材とを備え、前記ヘッド部材は、複数個に分割されていて、複数個の前記ヘッドの部材のうち１個の前記ヘッド部材は、前記ネック部材の前記一端部分の先端に固定されている固定ヘッド部材であり、残りの複数個の前記ヘッド部材は、前記ネック部材に、前記ネック部材の長手方向にスライド可能に装着されているスライドヘッド部材であり、前記ネック部材には、複数個の前記スライドヘッド部材の適正使用位置を表示する表示部が付されていて、前記表示部は、前記ネック部材の表面から凹んだ凹部から構成されている歯ブラシを用いたブラッシング方法であり、スライドヘッド部材に過度な力がかかった場合に、ネック部材がわずかに細くなっていることにより過度なブラッシング圧に反応してスライドヘッド部材の移動がおこり、使用者が自己のブラッシング圧の適否を判定することができるため、個人によるブラッシングの癖が補正され磨き残しがなくなることを特徴とするブラッシング方法である。【０００９】  請求項３に記載の発明は、ホルダ部材と、前記ホルダ部材に、少なくとも一端部分が前記ホルダ部材から突出した状態で保持されているネック部材と、前記ネック部材の前記一端部分に装着されていて、毛束が起設されているヘッド部材とを備え、前記ヘッド部材は、複数個に分割されていて、複数個の前記ヘッドの部材のうち１個の前記ヘッド部材は、前記ネック部材の前記一端部分の先端に固定されている固定ヘッド部材であり、残りの複数個の前記ヘッド部材は、前記ネック部材に、前記ネック部材の長手方向にスライド可能に装着されているスライドヘッド部材であり、前記ネック部材には、複数個の前記スライドヘッド部材の適正使用位置を表示する表示部が付されていて、複数個の前記スライドヘッド部材のうち、前記ホルダ部材側に位置する前記スライドヘッド部材の前記毛束の長さは、他の前記スライドヘッド部材の前記毛束の長さよりも長い歯ブラシを用いたブラッシング方法であり、スライドヘッド部材に過度な力がかかった場合に、ネック部材がわずかに細くなっていることにより過度なブラッシング圧に反応してスライドヘッド部材の移動がおこり、使用者が自己のブラッシング圧の適否を判定することができるため、個人によるブラッシングの癖が補正され磨き残しがなくなることを特徴とするブラッシング方法である。【００１０】  請求項４に記載の発明は、ホルダ部材と、前記ホルダ部材に、少なくとも一端部分が前記ホルダ部材から突出した状態で保持されているネック部材と、前記ネック部材の前記一端部分に装着されていて、毛束が起設されているヘッド部材とを備え、前記ヘッド部材は、複数個に分割されていて、複数個の前記ヘッドの部材のうち１個の前記ヘッド部材は、前記ネック部材の前記一端部分の先端に固定されている固定ヘッド部材であり、残りの複数個の前記ヘッド部材は、前記ネック部材に、前記ネック部材の長手方向にスライド可能に装着されているスライドヘッド部材であり、前記ネック部材には、複数個の前記スライドヘッド部材の適正使用位置を表示する表示部が付されていて、  前記ホルダ部材の後端に、他のホルダ部材あるいはバランス部材を設けた歯ブラシを用いたブラッシング方法であり、スライドヘッド部材に過度な力がかかった場合に、ネック部材がわずかに細くなっていることにより過度なブラッシング圧に反応してスライドヘッド部材の移動がおこり、使用者が自己のブラッシング圧の適否を判定することができるため、個人によるブラッシングの癖が補正され磨き残しがなくなることを特徴とするブラッシング方法である。
【発明の効果】
【００２０】この発明の歯ブラシは、スライド調整した複数個のスライドヘッド部材が適正使用位置に位置しているか否かを使用者が確認することができる。
この発明は、１本の歯ブラシの先端形状と全体形状の自由度を持たせて、使用者個人の口腔内環境に適切化したブラッシングを可能とする。
【図面の簡単な説明】
【００２１】
【図１】ホルダ部材中からネック部材を引き出した状態を示す全体の説明図である。図１（Ａ）は平面図であり、図１（Ｂ）は断面図である。
【図２】ホルダ部材中からネック部材を引き出した状態を示す全体の説明図である。図２（Ａ）は正面図であり、図２（Ｂ）は断面図である。
【図３】ホルダ部材中にネック部材を収納した状態を示す全体の平面図である。
【図４】ホルダ部材中にネック部材を収納した状態を示す全体の正面図（図３におけるＩＶ矢視図）である。
【図５】長さ調整機構を示す一部拡大断面図である。図５（Ａ）は、ネック部材の係合凸部がホルダ部材の係合孔部に係合している状態を示し、図５（Ｂ）は、ネック部材の係合凸部とホルダ部材の係合孔部との係合状態が解除されている状態を示し、図５（Ｃ）は、ネック部材の係合凸部とホルダ部材の係合孔部との係合状態が解除されていてネック部材がホルダ部材に対してスライドしている状態を示すものである。
【図６】長さ調整機構を示す一部拡大断面図である。図６（Ａ）は図５（Ａ）におけるＡ―Ａ線断面図であり、図６（Ｂ）は図５（Ｂ）におけるＢ―Ｂ線断面図であり、図６（Ｃ）は図５（Ｃ）におけるＣ−Ｃ線断面図である。
【図７】要部（ネック部材、固定ヘッド部材およびスライドヘッド部材）を示す一部拡大平面図である。
【図８】要部（ネック部材、固定ヘッド部材およびスライドヘッド部材）を示す一部拡大正面図（図７におけるＶＩＩＩ矢視図）である。
【図９】スライドヘッド部材をスライドさせた状態の要部（ネック部材固定ヘッド部材およびスライドヘッド部材）を示す一部拡大平面図である。
【図１０】スライドヘッド部材をスライドさせた状態の要部（ネック部材、固定ヘッド部材およびスライドヘッド部材）を示す一部拡大正面図（図９におけるＸ矢視図）である。
【図１１】ネック部材およびスライドヘッド部材を示す拡大断面図である。図１１（Ａ）は、図１０におけるＡ―Ａ線拡大断面図である。図１１（Ｂ）は、図１０におけるＢ−Ｂ線拡大断面図である。
【図１２】要部（ネック部材および固定ヘッド部材）の一部拡大平面図である。
【図１３】要部（ネック部材および固定ヘッド部材）を示す一部拡大正面図（図１２におけるＸＩＩＩ矢視図）である。
【図１４】使用状態を示す説明図である。
【図１５】一般成人の歯の長さ、幅および厚さであって、歯の解剖学の平均値を示す説明図である。
【図１６】ホルダ部材の後端にバランス部材を取り付けた状態の説明図。
【図１７】歯ブラシの初期設定を説明する模式図。
【図１８】歯ブラシの使用態様の一例を示す説明図。
【発明を実施するための形態】
【００２２】  以下、この発明にかかる歯ブラシとブラッシング方法の実施形態（実施例）の１例について図面を参照しながら詳細に説明する。なお、図面においては、概略図であるため、主な構成部品を図示し、主な構成部品以外の構成部品の図示を省略する。また、断面図において、構成部品の一部のハッチングを省略する。さらに、毛束は、二点鎖線にて図示する。
【００２３】  （実施形態の構成の説明）
この実施形態にかかる歯ブラシ１の構成について説明する。
【００２４】  （歯ブラシ１の全体構成）
この実施形態にかかる歯ブラシ１は、ホルダ部材２と、ネック部材３と、ヘッド部材４，５，６，７とを備える。歯ブラシ１の各構成部品のホルダ部材２、ネック部材３、およびヘッド部材４，５，６，７の角部は、適宜に面取り加工されている。また、歯ブラシ１は、たとえば透明またはその他の色に着色された樹脂部材を主要な材質として構成されている。なお、歯ブラシ１においては、たとえば毛束４０〜６０を固定する部位に用いられる真鍮のように、少なくとも一部が樹脂部材以外の部材から構成されていても良い。
【００２５】  （ホルダ部材２の説明）
ホルダ部材２は、図１〜図６に示すように、ほぼ円筒形状をなすが、円筒形状でない筒形状でも良い。ホルダ部材２には、スライド孔２０が、ホルダ部材２の中心線方向（長手方向Ａ。以下「ホルダ部材２の長手方向Ａ」と称する）に貫通して設けられている。図６に示すように、スライド孔２０の断面形状は四角形状となっているが、それ以外の形状であっても良い。
また、図１に示すように、ホルダ部材２の一端には、略球形状のフロント部材２１が設けられている。このフロント部材２１はホルダ部材３に対して着脱自在であり、ネック部材３の固定及び動きのコントロールを可能としている。すなわちフロント部材２１の孔２１ａの断面形状はネック部材３の断面形状と同一であり、ネック部材３がスライドできる大きさである。
図１６に示すように歯ブラシのホルダ部２の後端部に、バランス部材１００、あるいは他のネック部材（図示せず）を取り付けることができる。他のネック部材は、図１に示すヘッド部材４，５，６，７を備えたネック部材３と同一のもので良いし、ほかの形状でもよい。この他のネック部材を付けた効果は、ブラッシングの対応性がよくなり、ブラシの歯に対する処方が２倍できるので効果が倍増する。
バランス部材１００は、ホルダ部材２を保持した時の指先の保持力を、過度な歯牙と歯肉への圧力を最小限にする効果を有する。あるいは使用者のホルダ部材２を持つ位置の変化による歯ブラシの不安定さや、指でホルダ部材２の後ろを持ったとき重心位置が前にずれることによる歯ブラシの不安定さを解消する効果を有する。また、バランス部材１００は球形にすると頬粘膜のマッサージができる。
【００２６】  （ネック部材３の説明）
図１１（Ａ）に示すように、ネック部材３の断面形状は、四角柱形状に近似していて下辺の両端の角部は直角で上面両端は湾曲している。一方、スライドヘッド部材６の孔６１の断面形状はネック部材３の断面形状と同一である。そのため、スライドヘッド部材６をネック部材３に装着するときに、上下方向を間違えることがない。スライドヘッド部材５、７についても同様である。しかし、ネック部材３は、スライド孔２０の断面形状に対応じた形状であれば、上記の形状以外の形状であっても良い。なお、ネック部材３の長手方向Ａとホルダ部材２の長手方向Ａとは、図１（Ａ）、図２（Ａ）等に示すように一致する。
【００２７】  ネック部材３は、ホルダ部材２のスライド孔２０中にスライド可能に収納されている。この結果、ネック部材３は、ホルダ部材２から突出した状態で、一端部分がホルダ部材２に保持される。ホルダ部材２のスライド孔２０に対して、ネック部材３を長手方向Ａに沿ってスライドさせてフロント部材２１によってネック部材３が突出する長さを調整する。
ネック部材３は、フラント部材２１側がわずかに細くなっている。その範囲は、ネック部材３の後端（図１の右端）から、ネック部材３全体の３分の２の長さの位置３ａまでである（図１参照）。
【００２８】  （スライドヘッド部材４，５，６，７の説明）
図１〜図４に示すように、ヘッド部材４，５，６，７は、ネック部材３の一端部分に装着されている。ヘッド部材４，５，６，７は、４個に分割されている。４個のヘッド部材４，５，６，７の正面には、それぞれ、毛束４０，５０，６０，７０が起設されている。
【００２９】  （固定ヘッド部材４の説明）
４個のヘッド部材４，５，６，７のうち、１個のヘッド部材４は、ネック部材３の一端部分の先端に一体に固定されている固定ヘッド部材４である。
【００３０】  固定ヘッド部材４の形状は次の通りである。固定ヘッド部材４の正面視形状（図２（Ａ），（Ｂ）に示す形状）は、一端が半円形状で他端が四角形状であり、平面視形状（図１（Ａ）、（Ｂ）に示す形状）は、一端が短辺であると共に他端が長辺の台形状である。また、図１２に示すように、固定ヘッド部材４の正面とネック部材３の正面とは面一である。
【００３１】  （スライドヘッド部材５，６，７の説明）
３個のヘッド部材５，６，７は、ネック部材３に、ネック部材３の長手方向Ａにスライド可能に装着されているスライドヘッド部材５，６，７である。なお、スライドヘッド部材は、３個には限られず、１個以上であれば幾つ設けても良い。
【００３２】  以下の説明では、３個のスライドヘッド部材５，６，７を、固定ヘッド部材４側から、第１スライドヘッド部材５、第２スライドヘッド部材６、第３スライドヘッド部材７と称する。
【００３３】  第１スライドヘッド部材５および第２スライドヘッド部材６の形状は、図２（Ａ），（Ｂ）に示すように、正面視形状は概ね長方形状である。また、図１（Ａ），（Ｂ）に示すように、平面視形状も概ね長方形状である。
【００３４】  また、第３スライドヘッド部材７の形状は、図２（Ａ），（Ｂ）に示すように、正面視形状は一端が四角形状であり、他端が半円の一部となるような形状である。また、図１（Ａ），（Ｂ）に示すように平面視形状は正方形状である。
【００３５】  ３個のスライドヘッド部材５，６，７には、図７に示すようにそれぞれ、スライド孔５１，６１，７１が設けられている。スライド孔５１，６１，７１の断面形状は、概ね四角形状に設けられていて、図６（Ｃ）に示すようなネック部材３の断面形状とほぼ一致する。
【００３６】  ３個のスライドヘッド部材５，６，７のスライド孔５１，６１，７１には、ネック部材３が挿入されている。それにより、３個のスライドヘッド部材５，６，７は、ネック部材３の長手方向Ａに沿ってスライド可能となっている。このとき、図１（Ａ），（Ｂ）および図３等に示すように、第１スライドヘッド部材５、第２スライドヘッド部材６、および第３スライドヘッド部材７のそれぞれの正面は、同じ高さ位置に設けられている。また、これらのスライドヘッド部材５，６，７は、ネック部材３の正面よりも突出している。
【００３７】  ３個のスライドヘッド部材５，６，７はその植毛の長さ、太さ、及び植毛面積の大小により効果が異なる。
【００３８】  ブラッシング圧力は、歯の解剖学上、歯や歯茎を傷めずに、歯に付着した汚れ、歯と歯との間の汚れ、歯と歯茎との間の汚れなどを落とすのに、最適な力である。なお、上記の摩擦力は、２００ｇの圧力以外の値の圧力に設けられていても良い。摩擦力の調整は、ネック部材３とスライドヘッド部材５，６，７との間の嵌め合いの具合、前記のようにネック部材３全体の３分の２の長さをわずかに細くして、ネック部材３とスライドヘッド部材５，６，７との間の接触の度合いなどを調整することなどにより行われる。
【００３９】  （第３スライドヘッド部材７の説明）
図１１（Ｂ）に示すように、ネック部材３の正面と、ネック部材３の正面に対向する第３スライドヘッド部材７のスライド孔７１の対向面との間には、隙間Ｃが設けられている。このような隙間Ｃの存在により、第３スライドヘッド部材７は、ネック部材３に、第３スライドヘッド部材７のスライド方向に対して交差（直交）する方向（図１１（Ｂ）中の実線矢印の方向および反対方向）に移動可能に装着されている。なお、この例では、第３スライドヘッド部材７の毛束７０に対し、長手方向Ａにおいて所定の力（たとえば２００ｇ）の圧力が作用すると、第３スライドヘッド部材７がネック部材３に対して移動する。上記の説明は、スライドヘッド部材７の
【００４０】  （表示部３１、３２の説明）
図１２および図１３に示すように、ネック部材３の正面には、３個のスライドヘッド部材５，６，７の適正使用位置を表示する表示部３１，３２が、２本付されている。
２本の表示部３１，３２は、ネック部材３の表面から凹んだＶ形状の凹部（すなわち刻み目）から構成されている。なお、表示部３１，３２は、１本でも良く、３本以上でも良い。また、表示部３１，３２は、Ｖ形状以外の形状の凹部であっても良い。さらに、表示部３１，３２を形作る面は、凸面あるいは平面状でも良く、曲面状でも良く、さらに色彩の変化によって表示部を作成できる。
【００４１】  表示部３１，３２は、歯科医師等の専門知識を有する者が、診察した使用者の口腔内環境に合わせて、ネック部材３に付す。表示部３１，３２は、図１５に示す歯の解剖学の平均値であって、一般成人の歯の長さ、幅および厚さの平均値に基づいて付される。
【００４２】  以下の説明では、２本の表示部３１，３２を、固定ヘッド部材４側から、第１表示部３１、第２表示部３２と称する。第１表示部３１は、この例では、固定ヘッド部材４側から約５ｍｍ離れた箇所に付されている。第１表示部３１は、第１スライドヘッド部材５のネック部材３に対する適正使用位置を表示する。また、第２表示部３２は、この例では、固定ヘッド部材４側から約１３ｍｍ離れた箇所に付されている。第２表示部３２は、第２スライドヘッド部材６および第３スライドヘッド部材７のネック部材３に対する適正使用位置を表示する。なお、第１スライドヘッド部材５のスライド方向の幅を約５ｍｍとする。
【００４３】  図５、図６に示すように、第１スライドヘッド部材５を第１表示部３１に位置させ、かつ、第２スライドヘッド部材６および第３スライドヘッド部材７を第２表示部３２に位置させる。すると、固定ヘッド部材４と第１スライドヘッド部材５との間は、約５ｍｍとなり、固定ヘッド部材４の毛束４０と第１スライドヘッド部材５の毛束５０との間は、約５ｍｍに準ずる。また、第１スライドヘッド部材５と第２スライドヘッド部材６との間は、約３ｍｍとなり、第１スライドヘッド部材５の毛束５０と第２スライドヘッド部材６の毛束６０との間は、約３ｍｍに準ずる。なお、上記の第１表示部３１および第２表示部３２の寸法はあくまでも一例であり、種々の寸法を取り得る。
【００４４】  （毛束４０，５０，６０，７０の説明）
図８に示すように、固定ヘッド部材４の毛束４０は、２行２列に配置されている。第１スライドヘッド部材５の毛束５０および第２スライドヘッド部材６の毛束６０は、２行３列に配置されている。第３スライドヘッド部材７の毛束７０は、２行３列の配置に、さらに１行２列の配置を追加した状態となっている。
【００４５】  毛束５０，６０，７０の長さは、各スライドヘッド部材５，６，７の正面を基準として、第３スライドヘッド部材７の毛束７０の長さは、第１スライドヘッド部材５の毛束５０の長さおよび第２スライドヘッド部材６の毛束６０の長さよりも、長く設けられている。なお、第３スライドヘッド部材７の毛束７０の長さは、固定ヘッド部材４の毛束４０の長さよりも短いが、ネック部材３の正面からの長さで比較すると、毛束７０のネック部材３  の正面からの長さは、毛束４０のネック部材３の正面からの長さよりも長い。
【００４６】  第３スライドヘッド部材７の毛束７０の起設面積は、第１スライドヘッド部材５の毛束５０の起設面積および第２スライドヘッド部材６の毛束６０の起設面積よりも広い。また、第３スライドヘッド部材７の毛束７０の起設面積は、固定ヘッド部材４の毛束４０の起設面積よりも広い。
【００４７】  （長さ調整機構２２，３３，３４の説明）
図５および図６に示すように、ホルダ部材２とネック部材３とには、ネック部材３がホルダ部材２から長手方向Ａに突出する長さを調整する長さ調整機構２２，３３，３４が設けられている。長さ調整機構２２，３３，３４は、係合孔２２と、弾性部３３と、係合凸部３４とを有する。
【００４８】  図２に示すように、係合孔２２は、ホルダ部材２の正面に、長手方向Ａに複数個（この例では４個）設けられている。係合孔２２の正面視形状は、菱形の両端部分が面取りされた六角形状をなす。
【００４９】  弾性部３３は、ネック部材３の他端に設けられている。肉薄部分である弾性部３３は、正面側と平面側との間の厚みが、一端から他端に向かうにつれて徐々に薄くなるように設けられていて、しかも弾性部３３の正面に対し、弾性部３３の背面が傾斜している。弾性部３３は、長手方向Ａに対して交差（直交）する方向に弾性を有する。
【００５０】  係合凸部３４は、ネック部材３の弾性部３３の正面に対し、弾性部３３と一体的に設けられている。係合凸部３４の正面視形状は、係合孔２２の正面視形状とほぼ同様に、菱形の両端部分が面取りされた六角形状となっている。この結果、係合凸部３４は、係合孔２２に係合する。係合凸部３４の平面視形状は、中央が高く両端が低い山形状となっている
このため、係合凸部３４は、係合孔２２に容易に係合できる。なお、係合凸部３４と係合孔２２との係合状態は、係合凸部３４の外側面と係合孔２２の内側面とが相互に当接している状態である。
【００５１】  （実施形態の作用の説明）
この実施形態にかかる歯ブラシ１は、以上のごとき構成からなり、以下、この実施形態にかかる歯ブラシ１の作用について説明する。
【００５２】  （長さ調整機構２２，３３，３４の長さ調整の説明）
まず、長さ調整機構の係合凸部３４と係合孔２２との係合状態の解除について、図５、図６を参照して説明する。図５（Ａ）、図６（Ａ）に示すように、係合凸部３４と係合孔２２とが相互に係合している状態の時は、ネック部材３がホルダ部材２に保持されている。そして、ネック部材３がホルダ部材２から長手方向Ａに突出する長さを調整する場合は、係合凸部３４と係合孔２２との係合状態を解除する必要がある。
【００５３】  係合凸部３４と係合孔２２との係合状態を解除する場合は、係合孔２２から係合凸部３４を、図５（Ａ）、（Ｂ）、図６（Ａ）、（Ｂ）中の実線矢印方向に、弾性部３３の弾性力に抗して押し込む。
【００５４】  すると、図５（Ｂ）および図６（Ｂ）に示すように、係合凸部３４と係合孔２２との係合状態が解除される。そして、図５（Ｃ）の実線矢印に示すように、ネック部材３をホルダ部材２に対してスライドさせることができる。なお、図５（Ｃ）の実線矢印と逆方向に、ネック部材３をホルダ部材２に対してスライドさせることもできる。
【００５５】  ネック部材３をホルダ部材２に対してスライドさせて、係合凸部３４が係合孔２２に位置すると、弾性部３３の弾性力により、係合凸部３４が係合孔２２に係合する。そして、ネック部材３は、ホルダ部材２に保持される。このようにして、ネック部材３のホルダ部材２から突出する長さを任意に（段階的に）調整できる。
【００５６】  たとえば、図１（Ａ），（Ｂ）に示すように、ネック部材３をホルダ部材２に対して最長の長さに調整できる。また、図３および図４に示すように、ネック部材３をホルダ部材２に対して最短の長さに調整できる。さらに、図示していないが、ネック部材３をホルダ部材２に対して２通りの中間長の長さに調整できる。
【００５７】  （スライドヘッド部材５，６，７のスライド調整の説明）
図１４に示すように、毛束４０，５０，６０，７０により、歯８１，８２，８３，８４，８５，８６，８７（以下「歯８１から８７」と称する）を磨く場合、使用者が自分の歯８１から８７に合わせてスライドヘッド部材５，６，７をスライド調整することができる。たとえば、図１（Ａ），（Ｂ）、図３、図４等に示すように、３個のスライドヘッド部材５，６，７を固定ヘッド部材４側にスライドさせて、４個のヘッド部材４，５，６，７を相互に密着させて１つにまとめる。
【００５８】  また、図９、図１０に示すように、３個のスライドヘッド部材５，６，７をスライドさせて固定ヘッド部材４側から離す。この時、第１スライドヘッド部材５をネック部材３の第１表示部３１に位置合わせする。かつ、第２スライドヘッド部材６をネック部材３の第２表示部３２に位置合わせする。なお、第３スライドヘッド部材７は、第２スライドヘッド部材６に密着させている状態である。
【００５９】このように、３個のスライドヘッド部材５，６，７をネック部材３の表示部３１，３２に位置合わせすることができる。しかも、スライド調整した３個のスライドヘッド部材５，６，７が適正使用位置（表示部３１，３２）に位置しているか否かを使用者が確認することができる。
【００６０】  なお、図示されていないが、３個のスライドヘッド部材５，６，７をネック部材３の表示部３１，３２以外の位置に位置させて、使用することもできる。
【００６１】  （ブラッシングの説明）
ネック部材３の長さを調整し、かつスライドヘッド部材５，６，７をスライド調整した後に、図１４に示すように、ヘッド部材４，５，６，７の毛束４０，５０，６０，７０により、歯８１から８７を磨く。
【００６２】  図１７に示すように、ネック部材３の調整は、スライドヘッド部材５，６，７をフロント部材２１方向にスライドさせて、固定ヘッド部材４を下歯列１１０の最遠心の歯牙１１１の最遠端に位置させ、フロント部材２１が口唇１１９に触れる位置に設定する。そのことによりフロント部材２１が口唇１１９に触れることで、歯ブラシ１の延長の固定ヘッド部材４が歯牙の最遠端までブラッシングできることが、目視せずともわかる。
ホルダ部材２の持ち方として、いわゆる鉛筆を持つときのペングリップと物を握るときのパームグリップがあるが、ペングリップの方が微細なブラッシングができる。なぜなら力のコントロールを安定化させるためにバランス部材１００を付けることによって最小の指先の力によるコントロールができ、かつ毛先の状態を指先に感じることができる。オーラルブラッシングは歯牙１本１本のブラッシングの積み重ねであり、歯牙１本１本の隅々までブラッシングするために、本来歯牙１本１本を指先で触れることにより歯牙を感じることであるが、本発明においてはその指先の代わりとして固定ヘッド部材４を使っている。
プラーク形成機序として頬粘膜の口腔の細菌が遊離して歯面に付着して繁殖、形成されることをスタート起点とする。この頬粘膜に付着している細菌を除去するためにブラッシングを行うのであり、かつマッサージ効果により唾液分泌促進等がされる。
【００６３】  図１４中の符号「８１」は、中切歯を示す。以下、「８２」は側切歯を示す。「８３」は犬歯を示す。「８４」は第１小臼歯を示す。「８５」は第２小臼歯を示す。「８６」は第１大臼歯を示す。「８７」は第２大臼歯を示す。なお、第３大臼歯の図示は省略されている。
【００６４】  ４個のヘッド部材４，５，６，７を１つにまとめて使用する場合は、図１４に示すように、前側の歯を磨くのに適している。また、３個のスライドヘッド部材５，６，７をネック部材３の表示部３１，３２に位置合わせして使用する場合は、図１４に示すように、奥側の歯を磨くのに適している。
【００６５】  しかも、表示部３１，３２は、歯科医師等の専門知識を有する者が、使用者の口腔内環境等に合わせて、ネック部材３に付したものであるから、口腔ブラッシングに最適である。
口腔内歯列および歯牙の特徴は、次の通りである。すなわち、下顎の骨は上顎の骨より緻密である。鼓形空隙（歯と歯の間）は内側が外側より広い。歯頚線は曲線である。歯の表面はすべて凸形状ではない。及び１歯５面を持つ。したがって、ブラッシングは、次の通り従来の限定された条件のもとにおこなわれている。
１）口腔内に歯ブラシを、きき手を使って前方から挿入するが、根本的にブラッシング機材は異物であるため、無意識レベルで挿入を拒んでいる。
２）そのとき指先にブラシヘッドが近いほど実感覚を伴うが目視により細部を確認した方がよい。
３）口唇開口により一部の前歯は目視しやすく、歯列は舌圧および頬粘膜、口唇圧を受けている。
その結果、依然として、噛む面、歯の縁、歯の間は３大磨き残しエリアとして残っている。そのため、歯間ブラシ、デンタルフロスの補助清掃部材が使われていた。
しかし、歯は側方圧に弱いが、従来の歯ブラシでは、歯と歯の間を毛先を挿入しようとするとブラシによる過度な側方圧を加えてしまう。更に歯頚線は直線でなく曲線であるためブラシの直線運動に対して歯肉の退縮及び歯牙の楔状欠損と問題が残っている。
デンタルフロスでは、使用の際はピンと張ってその張力を利用してコンタクトポイントと歯間を清掃するものであるが、実際の歯の表面形状はすべて凸面でなく凹面をも持つため、凹面部分の清掃はできない。
歯間ブラシは、直線の金属等の芯の周囲にナイロン毛が植毛されたものでありこれを用いて歯間部を清掃するものである。これでは、噛む面、歯の縁、歯の面は３大磨き残しエリアをすべてブラッシングすることは非効率的である。
【００６６】  さらに、４個のヘッド部材４，５，６，７が３個のグループ（固定ヘッド部材４のグループ、第１スライドヘッド部材５のグループ、第２スライドヘッド部材６および第３スライドヘッド部材７のグループ）に分割されるので、歯８１から８７にかかる力を分散させることができる。これにより、歯や歯茎を傷めることが無い。
【００６７】  （第３スライドヘッド部材７の作用の説明）
ここで、ヘッド部材４，５，６，７の毛束４０，５０，６０，７０が歯８１から８７に所定の力、すなわち、必要以上の力（一例として２００ｇ）の圧力以上の力で作用すると、第３スライドヘッド部材７が第２スライドヘッド部材６から離れ、また、第３スライドヘッド部材７がネック部材３に対して移動する。
【００６８】  使用者は、第３スライドヘッド部材７が第２スライドヘッド部材６から離れ、また、第３スライドヘッド部材７がネック部材３に対して移動することにより、ヘッド部材４，５、６，７の毛束４０，５０，６０，７０が歯８１から８７に必要以上の力（一例として２００ｇの圧力以上の力）で作用していることを認識することができる。
【００６９】  また、ヘッド部材４，５，６，７の毛束４０，５０，６０，７０が歯８１から８７に対して適正な姿勢でないときには、長さが最長である第３スライドヘッド部材７の毛束７０が、歯８１から８７以外の箇所（たとえば頬や唇など）に接触する。これにより、使用者は、ヘッド部材４，５，６，７の毛束４０，５０，６０，７０が歯８１から８７に対して適正な姿勢でないことを認識することができる。
【００７０】  このように、使用者に、今まで無意識に歯を磨いていた状況から意識的に歯を磨く状況に、意識改革を、促すことができる。しかも、歯科医師が診察した患者の歯の病状に合わせてネック部材３に付した表示部３１，３２により、３個のスライドヘッド部材５，６，７の位置を適正使用位置に位置させることができる。これにより、患者一人一人、あるいは、使用者一人一人に適した歯ブラシ１を提供することができ、歯の治療や歯の病気予防に貢献することができる。すなわち、患者一人一人、使用者一人一人のセルフメディケーションに貢献することができる。
【００７１】  図１８に示すように、ネック部材３上でスライドヘッド部材５，６を移動させて、その毛束５０，６０を前歯７９，８０と前歯８０，８１の歯間にそれぞれ位置せしめる。その後ホルダ部材２を持って動かして毛束５０，６０を前記歯間をブラッシングすると、スライドヘッド部材５，６の間隔が狭い場合は、毛束５０，６０が歯間に入らず、歯面に当たるため毛束５０，６０は強い圧力が受ける。そのとき前記のようにネック部材３の中央部がわずかに細くなっているため、そこに位置しているスライドヘッド部材６のネック部材３に対する摩擦力は小さいため、スライドヘッド部材６が移動することで使用者がブラッシングの正しい力の感覚が身につくのである。
【００７２】（実施形態の効果の説明）
この実施形態にかかる歯ブラシ１は、以上のごとき構成、作用からなり、以下、この実施形態にかかる歯ブラシ１の効果について説明する。
・自己に最適なブラシにより歯牙切削耗を抑える。すなわち歯に対する力、方向、動作を  コントロールし物理的歯牙清掃を有害な力を減じながら行うことができる。
・歯牙圧の調整が可能となり、歯牙の弱点である側方圧をおさえて、１歯１歯その歯のコンディションに最適なブラッシングを行うことができる。
・軟組織に対しての加圧、マッサージ効果なども可能となる。
・ブラッシング効率の向上ならびに時間短縮ができ、ブラッシングを無意識行動から意識行動へ変える。
・使用者自身で力のコントロールの学習ができると共に、各個人口腔内環境（いわゆるオーラルコンディション）に適したブラッシングが可能となり、電子機器を用いてのブラッシング教育、処方が可能となる。
【００７３】  この実施形態にかかる歯ブラシ１は、ネック部材３に３個のスライドヘッド部材５，６、７の適正使用位置を表示する表示部３１，３２を付したものである。この結果、この実施形態にかかる歯ブラシ１は、３個のスライドヘッド部材５、６，７をスライド調整して表示部３１、３２に位置させた時に、スライド調整した３個のスライドヘッド部材５，６、７が適正使用位置に位置しているか否かを、使用者が表示部３１，３２により確認することができる。
【００７４】  この実施形態にかかる歯ブラシ１は、表示部３１，３２がネック部材３の表面から凹んだ凹部等から構成されている。この結果、この実施形態にかかる歯ブラシ１は、スライド調整した３個のスライドヘッド部材５，６，７が適正使用位置に位置しているか否かを、使用者が表示部３１，３２により確認する時に、目視による視覚以外に指触りによる触覚により確認することができる。これにより、この実施形態にかかる歯ブラシ１は、目の不自由な人などの視覚障害者に、優しい歯ブラシである。
【００７５】  この実施形態にかかる歯ブラシ１は、３個のスライドヘッド部材５，６，７のうち、ネック部材３側に位置する第３スライドヘッド部材７とネック部材３との摩擦力が、他のスライドヘッド部材とネック部材３との摩擦力よりも、小さい。この結果、この実施形態にかかる歯ブラシ１は、ヘッド部材４，５，６，７の毛束４０，５０，６０，７０が歯８１から８７に所定の力、すなわち、必要以上の力の圧力以上の力で作用すると、第３スライドヘッド部材７がネック部材３に対してスライドして第２スライドヘッド部材６から離れる。これにより、この実施形態にかかる歯ブラシ１は、ヘッド部材４，５，６，７の毛束４０，５０，６０，７０が歯８１から８７に所定の圧力以上の力で作用していることを使用者に認識させることができる。
【００７６】  この実施形態にかかる歯ブラシ１は、３個のスライドヘッド部材５，６，７のうち、ネック部材３側に位置する第３スライドヘッド部材７の毛束７０の長さが、他のスライドヘッド部材の毛束６０の長さよりも長い。そのため、歯ブラシ１は、歯８１から８７に作用する力を、長さが長い毛束７０を介して第３スライドヘッド部材７に対し、他のヘッド部材よりも速くかつ確実に伝えることができる。これにより、ヘッド部材４，５，６，７の毛束４０，５０，６０，７０が歯８１から８７に対し所定の圧力以上の力を作用させた場合に、第３スライドヘッド部材７がネック部材３に対してスライドして第２スライドヘツド部材６から速くかつ確実に離れることができる。したがって、この実施形態にかかる歯ブラシ１は、ヘッド部材４，５，６，７の毛束４０，５０，６０，７０が歯８１から８７に対し、必要以上の力を作用させたことを使用者に速くかつ確実に認識させることができる。
【００７７】  しかも、この実施形態にかかる歯ブラシ１は、３個のスライドヘッド部材５，６，７のうち、ネック部材３側に位置する第３スライドヘッド部材７の毛束７０の長さが他のスライドヘッド部材の毛束６０の長さよりも長い。この結果、ヘッド部材４，５，６，７の毛束４０，５０，６０，７０が歯８１から８７に対して適正な姿勢でない時に、長さが最長の第３スライドヘッド部材７の毛束７０が歯８１から８７以外の箇所（たとえば、頬や唇など）に接触する。これにより、この実施形態にかかる歯ブラシ１は、ヘッド部材４，５，６，７の毛束４０，５０，６０，７０が歯８１から８７に対して適正な姿勢でないことを使用者に認識させることができる。
【００７８】  この実施形態にかかる歯ブラシ１は、３個のスライドヘッド部材５，６，７のうち、第３スライドヘッド部材７の毛束７０の起設面積が他のスライドヘッド部材の起設面積よりも広い。この結果、この実施形態にかかる歯ブラシ１は、歯８１から８７に作用する力を、起設面積が広い毛束７０を介して第３スライドヘッド部材７に対し、他のヘッド部材よりも、速くかつ確実に伝えることができる。ヘッド部材４，５，６，７の毛束４０，５０，６０，７０が歯８１から８７に所定の圧力以上の力で作用して、第３スライドヘッド部材７がネック部材３に対してスライドして第２スライドヘッド部材６から速くかつ確実に離れることができる。したがって、ヘッド部材４，５，６，７の毛束４０，５０，６０，７０が歯８１から８７に対して必要以上の力で作用していることを使用者に速くかつ確実に認識することができる。
【００７９】  この実施形態にかかる歯ブラシ１は、３個のスライドヘッド部材５，６，７のうち、第３スライドヘッド部材７がネック部材３のスライド方向に対して交差する方向に、移動可能な状態で装着されている。この結果、ヘッド部材４，５，６，７の毛束４０，５０，６０，７０が歯８１から８７に所定の圧力以上の力で作用すると、第３スライドヘッド部材７がネック部材３に対して移動する。この第３スライドヘッド部材７の移動による使用者の手への感触や使用者への異音が生じる。これにより、この実施形態にかかる歯ブラシ１は、ヘッド部材４，５，６，７の毛束４０，５０，６０，７０が歯８１から８７に２００ｇの圧力以上の力で作用していることを認識することができる。
【００８０】  この実施形態にかかる歯ブラシ１は、ホルダ部材２とネック部材３とに、ネック部材３がホルダ部材２から一方向に突出する長さを調整する長さ調整機構２２，３３，３４を、設けたものである。この結果、この実施形態にかかる歯ブラシ１は、ネック部材３のホルダ部材２から突出する長さを、この例では、４段階に任意に調整できる。
【００８１】  この実施形態にかかる歯ブラシ１は、長さ調整機構２２，３３，３４が、ホルダ部材２に一方向に４個設けられている係合孔２２と、ネック部材３に設けられていて一方向に対して交差する方向に弾性を有する弾性部３３と、ネック部材３の弾性部３３に設けられていて係合孔２２に係合する係合凸部３４と、を有するものである。この結果、この実施形態にかかる歯ブラシ１は、ネック部材３のホルダ部材２から突出する長さを、確実に調整できる。
【００８２】  この実施形態にかかる歯ブラシ１は、４個のヘッド部材４，５，６，７が３個のグループ（固定ヘッド部材４のグループ、第１スライドヘッド部材５のグループ、第２スライドヘッド部材６および第３スライドヘッド部材７のグループ）に分割されるので、歯８１から８７にかかる力を分散させることができる。この結果、この実施形態にかかる歯ブラシ１は、歯や歯茎を傷めることが無い。
【００８３】  この実施形態にかかる歯ブラシ１は、相互に分解可能であるホルダ部材２とネック部を備えるものである。この結果、ホルダ部材２と、ネック部材３と、ヘッド部材４，５，６，７とを相互に交換可能である。しかもこの実施形態にかかる歯ブラシ１は、１本で、複数の機能（歯間歯ブラシの機能、歯茎マッサージ用歯ブラシ機能、前歯用歯ブラシ機能など）を果たすことができる。
ホルダ部材の後尾に、他のホルダ部材あるいはバランス部材を付けたため、ホルダ部材２を保持した時の指先の保持力を、過度な歯牙と歯肉への圧力を最小限にする効果を有する。あるいは使用者のホルダ部材２を持つ位置の変化による歯ブラシの不安定さや、指でホルダ部材２の後ろを持ったとき重心位置が前にずれることによる歯ブラシの不安定さを解消する効果を有する。また、バランス部材１００は球形にすると頬粘膜のマッサージができる。
【００８４】  なお、この発明は、前記の実施形態により限定されるものではない。
表示部は診察した歯科診療所において付したり、あるいは歯ブラシの製造工程において付したりする。製造工程において付した場合は、数種類の表示部が付された歯ブラシを、歯科診療所に取りそろえておく。
【００８５】  この実施形態にかかるブラッシング方法は次の効果を有する。
固定ヘッド部材とスライドヘッド部材を用いて歯面及び咬合面を、１本１本の歯を感じながら、こきざみに振動させながら行い、その後、スライドヘッド部材を固定ヘッド部材に寄せて、前歯の内側面（舌側面）と外側（唇側面）を１本１本ごとにブラッシングするから、為害作用を最小限として、かつ３つの大きな磨き残しエリアからブラッシングを行うことができる。
【００８６】  この実施形態にかかるブラッシング方法は次の効果を有する。傾斜歯、叢生歯、捻転歯、治療痕がある健全歯列でない歯あるいは混合歯列期の歯の場合には、スライドヘッド部材を交換して、形と圧力のコントロールをして固定ヘッド部材及びスライドヘッド部材による効果的なブラッシングを行うことができる。
【００８７】  この実施形態にかかるブラッシング方法は次の効果を有する。
個人の磨き方の癖の弊害を除去するため、スライドヘッド部材の位置を変化させて、歯ブラシの毛束の歯及び歯肉にあたる数、方向、力等が変化することにより、毛先の当たり方の変化が生じてブラッシングのムラによる磨き残しをなくすことができる。
ネック部材の正面に対向する第３スライドヘッド部材のスライド孔の対向面との間に隙間を作成し、またネック部材の中央部がわずかに細くすることで、ネック部材とスライドヘッド部材の摩擦度を落としているために、スライドヘッド部材が過度な力が加わると移動するため、使用者自らの力と方向のコントロールトレーニングができる。さらに最後尾のバランス部材を用いて、口腔粘膜のブラッシングとマッサージ等を行うことができる。
【符号の説明】
【００８８】  １  歯ブラシ
２  ホルダ部材
２０  スライド孔
２１  フロント部材
２２  係合孔
３  ネック部材
３１  第１表示部
３２  第２表示部
３３  弾性部
３４  係合凸部
４  固定ヘッド部材（ヘッド部材）
４０  毛束
５  第１スライドヘッド部材（ヘッド部材、スライドヘッド部材）
５０  毛束
５１  スライド孔
６  第２スライドヘッド部材（ヘッド部材、スライドヘッド部材）
６０  毛束
６１  スライド孔
７  第３スライドヘッド部材（ヘッド部材、スライドヘッド部材）
７０  毛束
７１  スライド孔
８１  中切歯
８２  側切歯
８３  犬歯
８４  第１小臼歯
８５  第２小臼歯
８６  第１大臼歯
８７  第２大臼歯
Ａ  長手方向（ホルダ部材２の中心線ホルダ部材２の長手方向、ネック部材３の長手方向、一方向）
Ｃ  間隙
１００  バランス部材
【要約】
【課題】スライド調整した３個のスライドヘッド部材が適正使用位置に位置しているか否かを、使用者が表示部により確認することができると共に適正なブラッシングができる
【解決手段】この発明は、ホルダ部材２と、ネック部材３と、ヘッド部材４，５，６，７と、を備える。ヘッド部材４，５，６，７は、４個に分割されていて、１個の固定ヘッド部材４と、３個のスライドヘッド部材５，６，７と、である。ネック部材３には、３個のスライドヘッド部材５，６，７の適正使用位置を表示する表示部３１，３２が付されている。この結果、この発明は、スライド調整した３個のスライドヘッド部材５，６，７が適正使用位置に位置しているか否かを、使用者が表示部３１，３２により確認することができる。
【選択図】図１【図１】
0006746770.tif 000002
【図２】
0006746770.tif 000003
【図３】
0006746770.tif 000004
【図４】
0006746770.tif 000005
【図５】
0006746770.tif 000006
【図６】
0006746770.tif 000007
【図７】
0006746770.tif 000008
【図８】
0006746770.tif 000009
【図９】
0006746770.tif 000010
【図１０】
0006746770.tif 000011
【図１１】
0006746770.tif 000012
【図１２】
0006746770.tif 000013
【図１３】
0006746770.tif 000014
【図１４】
0006746770.tif 000015
【図１５】
0006746770.tif 000016
【図１６】
0006746770.tif 000017
【図１７】
0006746770.tif 000018
【図１８】
0006746770.tif 000019